(57)【要約】下部（２）、およびこの下部に挿入することができる、吸湿材料を保持する容器（３）において、容器が不織布材料の内張層（７）を有する。
2004520840.tif 000002
【特許請求の範囲】
【請求項１】
下部（２）と、該下部（２）に挿入することができる、吸湿材を保持する容器（３）とを備えた猫のトイレ（１、１１、１１１）において、前記容器（３）が不織布材料の内張層（７）を有することを特徴とする猫のトイレ（１、１１、１１１）。
【請求項２】
前記不織布材料の内張層（７）が、吸湿性のよい材料を有することを特徴とする請求項１記載の猫のトイレ。
【請求項３】
前記不織布材料の内張層（７）が、臭い抑制材料を有することを特徴とする請求項１または２記載の猫のトイレ。
【請求項４】
前記不織布材料の内張層（７）の少なくともその上面がスクラッチプルーフであることを特徴とする請求項１から３いずれか１項記載の猫のトイレ。
【請求項５】
前記不織布材料の内張層（７）が、前記下部（２）の内部寸法に略対応した外部寸法の形状を有していることを特徴とする請求項１から４いずれか１項記載の猫のトイレ。
【請求項６】
前記不織布材料の内張層（７）が、厚さ０．１〜１ｃｍであり、好ましくは０．５ｃｍであることを特徴とする請求項１から５いずれか１項記載の猫のトイレ。
【請求項７】
吸湿材（８）の層が、前記不織布材料の内張層（７）の上に配置されていることを特徴とする請求項１から６いずれか１項記載の猫のトイレ。
【請求項８】
前記吸湿材（８）の層が、厚さ１〜３ｃｍであり、好ましくは２ｃｍであることを特徴とする請求項７記載の猫のトイレ
【請求項９】
前記下部（２）が、口の開いた矩形の皿形であることを特徴とする請求項１から８いずれか１項記載の猫のトイレ。
【請求項１０】
前記容器（３）が、前記下部（２）に配置された後、前記容器（３）の先端部（９）が、前記下部（２）の上部周縁を超えて外に広げられ、使用期間の終了後には、再封止するために折り畳まれるように開くことができることを特徴とする請求項１から９いずれか１項記載の猫のトイレ。
【請求項１１】
前記容器（３）の前記先端部（９）が、前記下部（２）の上部周縁に取付可能であることを特徴とする請求項１０記載の猫のトイレ。
【請求項１２】
前記容器（３）の前記先端部（９）が広げられた後、前記下部（２）に取外し可能に配置することができる上部（１０）を有し、該上部（１０）が、前記下部（２）の前記上部周縁を覆って、前記下部（２）の前記上部周縁に前記容器（３）の前記広げられた先端部（９）を固定することを特徴とする請求項１０または１１記載の猫のトイレ。
【請求項１３】
前記上部（１０）が、矩形枠状に設計されていることを特徴とする請求項１２記載の猫のトイレ。
【請求項１４】
使用後、前記容器（３）を再封止するための少なくとも１つの閉鎖手段（５）を有することを特徴とする請求項１から１３いずれか１項記載の猫のトイレ。
【請求項１５】
前記閉鎖手段（５）が、接着ストリップまたは接着テープを有することを特徴とする請求項１４記載の猫のトイレ。
【請求項１６】
多数の容器（３）を保持する別体の保管箱（１２）を有することを特徴とする請求項１から１５いずれか１項記載の猫のトイレ。
【請求項１７】
前記保管箱（１２）の上に、取出用の開口（１４）を有するカバー（１３）を備えることを特徴とする請求項１６記載の猫のトイレ。
【請求項１８】
前記容器が、筒状バッグ（３）として形成されていることを特徴とする請求項１から１７いずれか１項記載の猫のトイレ。
【請求項１９】
前記筒状バッグ（３）が、使用前に真空封止されることを特徴とする請求項１８記載の猫のトイレ。
【請求項２０】
前記筒状バッグ（３）が、前記保管箱（１２）内に供給ロール（１５）の形状で提供され、引き裂きストリップ（１６）によって分離可能であり、且つ取出開口（１４）によって個別に取出し可能であることを特徴とする請求項１８または１９記載の猫のトイレ。
【請求項２１】
前記容器が、寸法的に安定した包装容器を形成するとともに使用するために広げられることが可能な折り畳みパック（１０１）を有することを特徴とする請求項１から１７いずれか１項記載の猫のトイレ。
【請求項２２】
前記折り畳みパック（１０１）が積重ね可能であることを特徴とする請求項２１記載の猫のトイレ。
【請求項２３】
前記折り畳みパックが、略立方形であることを特徴とする請求項２１または２２記載の猫のトイレ。
【請求項２４】
前記折り畳みパックが、初期状態では平坦な紙、ボール紙、段ボール、軽量プラスチック、複合材料、または吸湿材のブランク（１０４）から作られていることを特徴とする請求項２１、２２、２３いずれか１項記載の猫のトイレ。
【請求項２５】
前記折り畳みパック（１０１）が、中央の好ましくは略矩形の床部（Ｂ）を有し、該床部（Ｂ）には好ましくは矩形の壁部（Ｗ）が当接することを特徴とする請求項２１から２４いずれか１項記載の猫のトイレ。
【請求項２６】
隣接する壁部（Ｗ）間に隅部（Ｅ）が配置されていることを特徴とする請求項２５記載の猫のトイレ。
【請求項２７】
折り畳まれたとき、吸湿材用の略立方形のリセプタクル空間が形成されるように、前記隅部（Ｅ）が、前記壁部（Ｗ）に支えられることを特徴とする請求項２６記載の猫のトイレ。
【請求項２８】
蓋部（Ｄ）が、壁部（Ｗ）または隅部（Ｅ）に当接することを特徴とする請求項２６または２７記載の猫のトイレ。
【請求項２９】
折り畳まれるとき蓋部（Ｄ）が互いに何度か重なり合うように、該蓋部（Ｄ）が前記壁部（Ｗ）および前記隅部（Ｅ）の両方に当接することを特徴とする請求項２６または２７記載の猫のトイレ。
【請求項３０】
前記蓋部（Ｄ）が略矩形であることを特徴とする請求項２８または２９記載の猫のトイレ。
【請求項３１】
把持部（Ｇ）が前記蓋部（Ｄ）に当接することを特徴とする請求項２８から３０いずれか１項記載の猫のトイレ。
【請求項３２】
前記把持部（Ｇ）が前記蓋部（Ｄ）上に平坦に折畳み可能であることを特徴とする請求項３１記載の猫のトイレ。
【請求項３３】
前記把持部（Ｇ）が何度か重なるように、特に４、６または８回重なるように設計されていることを特徴とする請求項３２または３３記載の猫のトイレ。
【発明の詳細な説明】
【技術分野】
【０００１】
本発明は、下部と、この下部に挿入することができる、吸湿材を保持する交換式容器とが付属している猫のトイレに関する。
【背景技術】
【０００２】
猫は、そのために用意された容器に尿をしたり糞をしたりするのを容易に訓練することができるということはよく知られている事実である。簡単な実施形態においては、この容器は、猫のトイレ砂として知られている多孔性で吸湿性のある、有利には臭いを抑制する材料で満たされている。猫のトイレ砂は、定期的に交換することが必要である。しかし、トイレの壁が汚れたり、トイレの壁にトイレ砂が付着したりすることは有り得ることなので、この種の猫のトイレを清掃することは、時間がかかり、不快なものである。加えて、大量のトイレ砂をその都度捨てる必要があり、トイレ砂は平均６〜８ｃｍ（２〜３インチ）の深さがあるので、一般に消費されるトイレ砂の量は実際に必要とされる量よりも多い。加えて、猫のトイレの内容物を単にごみ箱等に捨てることは、非衛生的であり、ごみや臭いに付随する問題はこの過程では避けることができない。
【０００３】
最新の技術では、猫のトイレ砂を充填した再封止可能なバッグを猫のトイレ容器に配置することができる猫のトイレが知られている。このバッグは、使用後に封止して家庭のごみとともに簡単に捨てることができる。
【０００４】
例えば、特許文献１には、周囲で閉じられ、ひとつの衛生的なトイレ砂の詰め物を収容しているリセプタクル空間(receptacle space)を有する、柔軟材料から作られた廃棄可能な軟質パッケージからなる猫のトイレが教示されている。リセプタクル空間の上側が開けることができ、パッケージの上部を内容物を現すように引きちぎって開けて、パッケージを使用することができる。使用後は、廃棄可能な柔軟なパッケージからなる猫のトイレは閉じた状態で廃棄することができる。
【０００５】
特許文献２には、下部と、この下部に配置される、猫のトイレ砂を充填した交換式バッグとが付属した猫のトイレが開示されている。このバッグは、バッグの上端部を猫のトイレの上部周縁に滑り込ませて、トイレの容器が汚れないように取り付けられる方法で設計されている。使用後に、バッグは閉鎖手段によって封止され、汚れた猫のトイレ砂は確実に廃棄することができる。
【０００６】
猫のトイレは、特許文献３からも知られ、このトイレは、容器に挿入するのに適した、例えば、ポリエチレンフィルムの形状の内張り付きの容器を有する。猫のトイレ砂は、前述の内張り中にばら撒いて、使用後に内張りと共に容器から取り出して捨てることができる。
【発明の開示】
【発明が解決しようとする課題】
【０００７】
しかし、従来技術から判る猫のトイレの欠点は、猫のトイレは、特に、多量の尿や糞を吸収するために、また、トイレの壁の汚れを防止するために十分深いことが必要なので、トイレ砂が多量消費されることである。トイレ砂は、実際に必要とするよりも一般に多く消費される。これによって、結果的に猫の飼い主が定期的に重いトイレ砂の袋を買って運ばなければならなくなり、多大な労力と出費も伴う。大量のトイレ砂が必要とされることに対応して、大量のトイレ砂を捨てる必要がある。これもまた、多大な労力を伴い、また、ごみ捨て費用が高いときには、同様に非常にコスト高となる。
【課題を解決するための手段】
【０００８】
従って、本発明の目的は、衛生的な猫のトイレを開発して従来技術の欠点を克服し、特に、トイレ砂の必要量を低減しつつ、同時にトイレの壁の汚れ、或いは、トイレの壁にトイレ砂が付着することを防止する猫のトイレを開発することにある
本発明によれば、容器が不織布材料の内張層を有することでこの目的が達成される。
【０００９】
本発明によれば、不織布材料の内張層は、吸湿性の高い材料を有してもよい。
【００１０】
不織布の内張層は、臭い抑制材料を有することが好ましい。
【００１１】
特に好ましい実施形態においては、不織布材料の内張層は少なくともその上面をスクラッチプルーフ（耐引掻性）とすべきことが考えられる。
【００１２】
本発明によれば、不織布材料の内張層の外部寸法は、下部の内部寸法に形状が略対応すべきであることも提案されている。
【００１３】
本発明によれば、不織布材料の内張層は、厚さ０．１〜１ｃｍ、好ましくは０．５ｃｍとすることが好ましい。
【００１４】
加えて、トイレ砂の層は不織布材料の内張層の上に配置することが提案されている。
【００１５】
本発明によれば、トイレ砂の層は、厚さ１〜３ｃｍ、好ましくは２ｃｍとすることができる。
【００１６】
本発明によれば、下部は、口の開いた矩形の皿状とすべきことも提案されている。
【００１７】
本発明によれば、上部先端部は、下部に配置された後、下部の周縁上を滑らせて広げることができ、使用期間の終了後、再び折り畳んで再度封止することができる容器も提供できる。
【００１８】
この関連で、容器の先端部を下部の上部周縁に取り付けることができる。
【００１９】
加えて、本発明の一実施形態は、上部を有し、この上部は容器の先端部が広げられた後、下部に取外し可能に配置され、この上部が下部の上部周縁を覆って、広げられた容器の先端部を下部の上部周縁に固定することを特徴とする。
【００２０】
本発明によれば、上部は矩形枠状に設計されるべきであると考えられる。
【００２１】
本発明の猫のトイレは、使用後に容器を封止するための少なくともひとつの閉鎖手段を有することを特徴とすることもできる。
【００２２】
この関連で、閉鎖手段は接着ストリップ或いは接着テープを有することができる。
【００２３】
本発明の更なる実施形態は、多数の容器を保持する別体の保管箱を有することを特徴とする。
【００２４】
この関連で、保管箱に取出し用の開口を有するカバーを設けることができる。
【００２５】
容器は、筒状バッグの形態を取ることが好ましい。
【００２６】
本発明の一実施形態は、筒状バッグが使用前に真空シールされるという事実を特徴とする。
【００２７】
最後に、本発明によれば、筒状バッグが供給ロールの形態で保管箱内に用意され、且つ、引き裂きストリップ（tearing strip）によって分離可能であり、取出し開口から個別に取出し可能であることが好ましい。
【００２８】
本発明はこのように、高い吸湿性を有する、好ましくは臭いを抑制する少なくとも上層がスクラッチプルーフである不織布材料の内張層を、本発明の猫のトイレに使用することにより、トイレ砂の消費を劇的に低減することができるという驚くべき発見に基づいている。不織布材料の内張層の特別なパッケージコンセプトにより、トイレの壁が汚されるおそれがなく、猫のトイレの清掃が相当簡単になる。本発明のコンセプトを使用すると、液体は不織布材料の内張層によりおおむね吸収されるので、トイレ砂の消費が６０〜７０パーセント低減される。このトイレ砂の主目的は、この場合、引っ掻くという猫の本能的な必要性を単に満足させることである。さらに、不織布材料の内張層は、匹敵する量のトイレ砂よりも相当軽い。それが配置される量も相当低減される。本発明による猫のトイレを用いることにより、ひとつの筒状バッグユニットで少なくとも１週間、猫の衛生が確実に保たれる。
【００２９】
本発明の猫のトイレの特別な実施形態においては、容器或いは筒状バッグ用の、猫のトイレに取り付けられた別体の保管箱を提供することにより、さらに容器或いは筒状バッグを例えば供給ロールから連続的に個別に取り出して、猫のトイレの下部に直接配置することができるので、猫のトイレの用意が簡単になる。
【００３０】
本発明の猫のトイレにおいて、容器または筒状バッグは任意に猫のトイレ砂を予め有することができ、或いは猫のトイレの下部を単に不織布材料の内張層を有する容器で内張りした後、猫のトイレ砂を不織布材料の内張層に撒き散らすことができる。
【００３１】
本発明の猫のトイレの容器或いは筒状のホースは、猫のトイレの下部に確実且つ安定的に取り付けられることを可能にし、下部の壁を汚すことになるおそれがあるすべりが阻止される。
【００３２】
本発明のトイレが、多種多様の他のペットにも使用できることは明らかである。
【００３３】
搬送重量と体積が小さいため、容器或いは筒状バッグを二重パック或いは多重パックの形で販売することが可能である。
【００３４】
あるいは、形状が安定していて、使用に際しては、広げて猫のトイレの下部に配置される包装容器を形成する折り畳みパックを容器が有してもよい。この種の実施形態の利点は、折り畳みパックは、(それを囲む筒状バッグ付き或いはなしの)不織布材料の内張層の形態の吸収性内張りが、（包装）容器として供され、この形態で販売単位として市場に出すことができるということである。このために、折り畳みパックが積み重ね可能であり、形状が略立方形であるならば特に効果が有る。折り畳みパックを、初期状態では平坦な紙、ボール紙、段ボール、軽量プラスチック（light plastic）、複合材料、或いはいくつかの吸収性材料のブランクから作ることが好都合である。
【００３５】
折り畳みパックは、好ましくは矩形の壁部が当接する中央の概ね矩形の床部を有することが好ましい。
【００３６】
隣接する壁部間に隅部があることが好都合であり、この隅部を、吸湿材料用の概ね立方形のリセプタクル空間が形成されるように、折り畳まれたとき壁部により支持することが可能である。
【００３７】
壁部或いは隅部に当接する蓋部があることが好ましい。蓋部は、折り畳みパックが折り畳まれたとき、蓋部が何度か重なって壁部および隅部の両方に当接することが好ましい。蓋部は略矩形であることが好都合である。
【００３８】
本発明の好ましい更なる発展例では、蓋部に当接する把持部が有る。把持部は、蓋部の上に平坦に折り畳むことができ、或いはそれから離れて突出することができる。加えて、把持部に何度か、例えば４、６或いは８回重なって、負荷に耐える事ができ、早々に裂けることのない堅固な把持部を折り畳みパックに形成するように設計してもよい、
この種類も、使用後に折り畳みパックを再封止するための少なくともひとつの閉鎖手段を有することが好都合である。このために、例えば、折り畳みパックの端縁部に設けられた貫通孔を通って係合することができる引き紐(或いは弾性片等)のようなものを設けることが可能である。
【００３９】
折り畳みパックは、下部に配置された後、下部の上部周縁に外縁部を広げることができるような方法で、折り畳まれるように変更されることが好ましい。この場合、折り畳みパックの前述の縁部は猫のトイレの上部周縁に取付可能とすることができる。このために、折り畳みパックの広げられた端縁部を下部の上部周縁に固定するために、下部の上部に取外し可能に配置することができる頂部を設けることができる。頂部は、下部の形状に合わせた枠状に設計することができる。
【００４０】
本発明の更なる利点は、本発明の猫のトイレの２つの実施形態について、図面を参照して詳細に説明されている以下の詳細な説明により理解できよう。
【発明を実施するための最良の形態】
【００４１】
図１は、本発明の猫のトイレ１の第１の実施形態を示し、筒状バッグ３を挿入することができる下部２を有する。筒状バッグ３は、その端部に下部２の横の周縁を内張りするための幅広の縁部４を有する。接着ストリップのような閉鎖手段５が筒状バッグ３の上側に設けられており、筒状バッグ３の上側の中央に位置し、筒状バッグ３の全長に亘って延びる再度封じることが可能な接着継ぎ目のような縦の開口６がある。
【００４２】
図２は、本発明の猫のトイレ１に使用される筒状バッグ３を通る断面を示す。この筒状バッグ３は、真空封止され、筒状バッグ３が占めるスペースが極めて小さくなっている。ポリエチレンのようなプラスチックフィルムから作ることができる筒状バッグ３は、その底の内側に非常に吸湿性のよい、臭いを抑制し、且つスクラッチプルーフ材から作られた不織布材料の内張層７を有する。不織布材料の内張層７は、厚さが０．５ｃｍであることが好ましい。好ましくは２ｃｍの厚さのトイレ砂８の層は、不織布材料の内張層７の上にばらまかれている。
【００４３】
筒状バッグ３が開かれるとき、図１に示す縦の開口６に沿って開かれる。筒状バッグ３の端部９は、図３および図４に示すように下部２の上部周縁に広げるのに適している。筒状バッグ３が開かれるとき、不織布材料の内張層７に空気が流れ込んで、体積が僅かに増大することがある。
【００４４】
図５は、下部２に挿入されて開かれた状態にある筒状バッグ３を示し、筒状バッグ３の端部９が下部の上部周縁の上に広げられている。筒状バッグ３の広げられた端部９は、筒状バッグ３が猫のトイレ１内で滑らないように下部２の周壁に確実且つ安定的に取り付けることができる。取外し可能な接着ストリップ等による取付けのような他の可能な取付方法は、当業者にとって明白であろう。
【００４５】
上部１０による筒状バッグ３の下部２への取付けが、図６に詳細に示されている。上部１０は、この場合、図７に示すように、下部２および筒状バッグ３の端部９の上に配置することができる矩形枠の形状を有することが好ましい。
【００４６】
互いに完全に取り付けた猫のトイレ１を図８に示す。本発明の猫のトイレが使用されるとき、汚れたトイレ砂を毎日取り除くことができ、不織布材料の内張層７の内部は、いかなる湿気も直ちに吸収し、且つ湿気やこの湿気によって生じるいかなる臭いをも抑制する。液体は、不織布材料の内張層７からもはや逃れることはできない。
【００４７】
本発明の猫のトイレ１は、少なくとも１週間は猫の衛生を確実に保つ。
【００４８】
猫のトイレ１から筒状バッグ３を交換するためには、図９ａ、図９ｂで示すように、上部１０をまず取り外し、次に筒状バッグ３の端部９を内側に畳んで筒状バッグ３を閉鎖手段５で再封止する。
【００４９】
この方法で封止された筒状バッグ３は、猫のトイレ１を汚すことなく簡単に、即ち埃や臭いの問題を生じることなく廃棄できる。
【００５０】
図１０は、本発明の猫のトイレの第２の実施形態１１の分解図を示す。図１０による猫のトイレは、取出開口１４を有するカバー１３のついた保管箱１２をさらに有している。保管箱１２は、多数の筒状バッグ３を保持することができる。特に、筒状バッグ３を引き裂きストリップ１６によって供給ロール１５から切り離し、個別に取り出すことが考えられる。
【００５１】
筒状バッグ３を保管箱１２の供給ロール１５から取り出し、下部２に配置する方法は、図１１ａ、図１１ｂに示されている。適切な長さの筒状バッグフィルムを、ロールから引きちぎり、猫のトイレ１１の下部に配置する。筒状バッグ３の端部９は、図１２に示すように、上部１０により下部２に再度確実に取り付けることができる。この方法で用意された猫のトイレは、引き続き猫のトイレ砂を軽くばらまくことができ、それにより、吸湿性がよく臭いを抑制する不織布材料の内張層７を使用することで、猫のトイレ砂だけを有する従来の猫のトイレと比較してトイレ砂の量を６０〜７０パーセント低減することが可能である。図１３は、トイレ砂８をどのようにばらまくかを示している。
【００５２】
図１４は、筒状バッグ３を猫のトイレ１１からどのように取り出すかを示している。ここでも最初に上部１０を取り外している。その後、筒状バッグ３の端部９を、ともに畳んで、閉鎖手段５、この場合は例えばテープにより封止し、筒状バッグ３を問題なく廃棄することができる。
【００５３】
本発明の猫のトイレのさらなる実施形態１１１について、（筒状バッグにより随意的に覆われた）不織布材料の内張層および随意的な付加的なトイレ砂が折り畳みパックに配置された図１５から図１９を参照して説明する。
【００５４】
図１５は、閉じた状態にある１０１で全体が示された折り畳みパックを示している。このパックは、寸法安定な包装容器を形成しており、販売品としてこの形状で市場に出すことができる。折り畳みパック１０１は、上方に延びる把持部１０３のついた略立方形の包装体１０２を有し、把持部１０３は、２つ以上の折り畳みパック１０１を互いに頂部を重ねるために水平に広げることができる。折り畳みパック１０１は、次に説明する方法で、適切な材料のブランクから折り畳みによって作られるが、適切な材料は、紙、厚紙、段ボール、プラスチック、いくつかの吸湿性材料或いは複合材料（例えば、塗装された段ボール、プラスチックでコーティングを施した段ボール）であってもよい。
【００５５】
折り畳みパックが、材料のブランクから折り畳まれることによって作られる方法を説明するために、適切な材料のブランク１０４を示す図１９を参照する。ブランク１０４の表面の内側には、中央の床部Ｂ、それに当接する壁部Ｗおよび隣接する壁部Ｗ間に隅部Ｅがある。壁および隅部に隣接して外側に蓋部Ｄがあり、これらに隣接して把持部Ｇがある。いずれの場合にも、記載された様々な部分の間に、図１９に実線で示す折り目がある。
【００５６】
図１８は、図１９と比べて９０°方向が回転されている、本発明によるブランク１０４即ち広げられた折り畳みパック１０１の斜視図を示す。広げられた折り畳みパックは、猫のトイレのトレー状即ち桶状（trough-like）の下部１０５に配置され、横方向に突出して蓋部Ｄと把持部Ｇをそれぞれ形成する折り畳みパックの４つの領域は、いずれの場合にも、下部１０５の縁１０７の上に、下部に取り付けるためにある程度まで広げることができる。折り畳みパックの床Ｂ、壁Ｗおよび隅部Ｅによって形成された領域に略対応して、下部１０５の基本領域を設けることができ、本実施形態では矩形であるので、それぞれ蓋部および把持部からなる横領域はまず最初に、下部の内側壁１０６に沿って上方に延び、次に縁１０７の上を外側に広げて下方に折り曲げることができる。この種の設計は、猫のトイレの枠状頂部に関して特に好都合であり、この枠状頂部は、猫のトイレの下部の上に、広げられた折り畳みパックの部分Ｄ、Ｇとともに側壁即ち縁１０７の上を越えて延びるようにして、取外し可能に配置することができる。
【００５７】
図１７は、図１８と比較して約４５°回転した方向の折り畳みパックを部分的に折り畳まれた（部分的に広げられた）状態で示し、床部Ｂだけでなく、特に三角形の隅部Ｅ、蓋部Ｄおよび把持部Ｇが見られる。
【００５８】
図１６は、図１７に対応するさらに折り畳まれた図を示し、壁Ｗも示す。理解できるように、折り畳まれた隅部Ｅは壁部Ｗに寄りかかっているので、吸湿材料用の略立方形のリセプタクル空間は、折り畳みパック１０１の内部に残っている。
【００５９】
図からわかるように、図１５に数字１０３で示された把持部は、２回以上互いに重ねられる把持部Ｇから形成され、図示の実施形態では、６回互いに重ねられ、横縁部では８回重ねられ、負荷に耐えることができる堅固な把持部が形成される。
【００６０】
図１５に示す初期状態では、折り畳みパックは、不織布材料の内張層だけでなく、ある程度の吸湿性のトイレ砂が充填されていてもよく、トイレ砂の量は、使用時に（図１８）、猫のトイレの下部に相当する基本領域（領域Ｂ、Ｗ、Ｅに相当することが好ましい）上に１〜３ｃｍの厚さのトイレ砂材料の層がある。好ましい実施形態においては、折り畳みパック或いは壁Ｗは、非常に高いので、折り畳みパック１の体積は、（不織布材料の内張層に加えて）それが完全に充填されたとき、部分Ｂ、ＷおよびＥで形成された猫のトイレの全基本領域上に、例えば２ｃｍの厚さに相当するトイレ砂材料の体積を有する。折り畳みパック１０１は、いくらかの蓄積をするために任意にいくらか大きくすることができるので、使用後、猫によって落とされた糞とともに再度折り畳むと、使用済みのトイレ砂材料を折り畳みパックに保持することができる。
【００６１】
図１５に示すように、初期状態の不織布材料即ち筒状材料の内張層を、床部Ｂに相当する大きさにともに折り畳むことができ、同様に、使用位置（図１８）に開放しているときに広げることができる。
【００６２】
使用後に、即ち１週間以上になりうる使用期間後に、折り畳みパックを不織布材料の内張層および存在する任意のトイレ砂材料とともに折り畳み、図１に相当する形状に戻し、使用される材料の吸湿性によって簡単且つ衛生的に埃を生じることなく廃棄することができる。ネコのトイレの縁の上に折り畳む場合、把持部および蓋部は、トイレ砂材料および/または猫の糞と接触しないので、これは本発明による好ましい事例であるが、廃棄作業を非常に衛生的に行うことができる。
【００６３】
上記記載、図面および請求の範囲に開示された本発明の特徴は、種々の実施形態で個別におよび任意の組み合わせで本発明を実施する上で不可欠である。
【図面の簡単な説明】
【００６４】
【図１】中に配置される筒状バッグ付きの本発明の猫のトイレの斜視図
【図２】本発明による閉じた状態の筒状バッグを通る断面図
【図３】猫のトイレの容器内に配置された本発明の開放状態の筒状バッグを通る断面図
【図４】開放状態にある筒状バッグ付きの本発明の猫のトイレの斜視図
【図５】上部が配置された本発明の猫のトイレを通る断面図
【図６】本発明の図５の猫のトイレの端縁部の断面図
【図７】上部付きの本発明の猫のトイレの分解斜視図
【図８】使用中の本発明の組立てられた猫のトイレの斜視図
【図９ａ】猫のトイレをどのように分解して筒状のバッグを取り除くかを示す斜視図
【図９ｂ】猫のトイレをどのように分解して筒状のバッグを取り除くかを示す斜視図
【図１０】本発明の猫のトイレの第２の実施形態を示す分解図
【図１１ａ】図１０の猫のトイレに筒状バッグをどのように挿入するかを示す斜視図
【図１１ｂ】図１０の猫のトイレに筒状バッグをどのように挿入するかを示す斜視図
【図１２】筒状バッグで裏打ちされた状態の、上部付きの図１０の猫のトイレの斜視図
【図１３】図１０に示す猫のトイレに、どのようにして猫のトイレ砂を充填するかを示す斜視図
【図１４】図１０の猫のトイレからどのように筒状バッグを取り外すかを示す斜視図
【図１５】本発明の更なる実施形態の折りたたまれた状態の折り畳みパックを示す斜視図
【図１６】部分的に開いた状態の、図１５の折り畳みパック
【図１７】さらに広げられた状態の折り畳みパック
【図１８】略完全に広げられた状態で猫のトイレの凹型下部に配置された折り畳みパック
【図１９】図１５〜図１８による折り畳みパックを作る折り目の付いたブランク
【国際公開パンフレット】
2004520840.tif 000003
2004520840.tif 000004
2004520840.tif 000005
2004520840.tif 000006
2004520840.tif 000007
2004520840.tif 000008
2004520840.tif 000009
2004520840.tif 000010
2004520840.tif 000011
2004520840.tif 000012
2004520840.tif 000013
2004520840.tif 000014
2004520840.tif 000015
2004520840.tif 000016
2004520840.tif 000017
2004520840.tif 000018
2004520840.tif 000019
2004520840.tif 000020
2004520840.tif 000021
2004520840.tif 000022
2004520840.tif 000023
2004520840.tif 000024
2004520840.tif 000025
2004520840.tif 000026
2004520840.tif 000027
2004520840.tif 000028
2004520840.tif 000029
2004520840.tif 000030
2004520840.tif 000031
2004520840.tif 000032
【国際調査報告】
2004520840.tif 000033
2004520840.tif 000034
2004520840.tif 000035